(57)【要約】  本発明は、タワーファン取付ユニット及びタワーファンに関し、該タワーファン取付ユニットは、本体（１）と台座（２）を含み、台座（２）には、弾性ストッパ部材（２１）が設けられ、本体（１）には、弾性ストッパ部材（２１）と協働して本体（１）の回動を制限する第１のストッパ溝（１１）が設けられ、弾性ストッパ部材（２１）と第１のストッパ溝（１１）により回転止めロックを行う。該タワーファン取付ユニットは、構造が簡単であり、コストが低く、また、取り付け操作しやすく、ユーザ体験を向上させる。【選択図】図４
2021523997.tif 000002
【特許請求の範囲】
【請求項１】
本体と台座とを含むタワーファン取付ユニットであって、
前記台座には、弾性ストッパ部材が設けられ、
前記本体には、前記弾性ストッパ部材と協働して前記本体の回動を制限する第１のストッパ溝が設けられる、ことを特徴とするタワーファン取付ユニット。
【請求項２】
前記本体は、取付座と、前記取付座に設けられたガイド部材とを含み、
前記取付座と前記ガイド部材とは、前記弾性ストッパ部材を配置可能な収容溝を囲んで形成する、ことを特徴とする請求項１に記載のタワーファン取付ユニット。
【請求項３】
前記弾性ストッパ部材は、固定部と、前記ガイド部材の作用下で弾性変形可能な折り曲げ部とを含み、
前記折り曲げ部が前記固定部に凸設される、ことを特徴とする請求項２に記載のタワーファン取付ユニット。
【請求項４】
前記ベースには、ストッパ取付溝が設けられ、
前記固定部が前記ストッパ取付溝内に設けられる、ことを特徴とする請求項３に記載のタワーファン取付ユニット。
【請求項５】
前記ガイド部材は、前記収容溝を囲んで形成するための第１のガイド面を含み、
前記弾性ストッパ部材は、前記第１のガイド面と協働して相互に摺動する第１の合わせ面を含む、ことを特徴とする請求項２に記載のタワーファン取付ユニット。
【請求項６】
前記ガイド部材は、前記第１のストッパ溝を囲んで形成するための第１のストッパ面を含み、
前記弾性ストッパ部材は、前記第１のストッパ面と協働して前記本体の回動を制限する第２の合わせ面を含む、ことを特徴とする請求項２に記載のタワーファン取付ユニット。
【請求項７】
前記本体には、少なくとも１つの突起部材が設けられ、
前記台座には、前記突起部材と協働して前記本体が前記台座の軸方向に沿って移動することを制限する第２のストッパ溝が設けられる、ことを特徴とする請求項１に記載のタワーファン取付ユニット。
【請求項８】
前記台座には、前記第２のストッパ溝を囲んで形成するための第２のストッパ面がさらに設けられ、
前記突起部材は、前記第２のストッパ面と協働して前記本体の回動を制限する第３の合わせ面を含む、ことを特徴とする請求項７に記載のタワーファン取付ユニット。
【請求項９】
前記台座には、前記第２のストッパ溝を囲んで形成するための第３のストッパ面を含む係合部材がさらに設けられ、
前記突起部材は、前記第３のストッパ面と協働して前記本体が前記台座の軸方向に沿って移動することを制限する第４の合わせ面を含む、ことを特徴とする請求項７に記載のタワーファン取付ユニット。
【請求項１０】
前記係合部材は、第４のストッパ面をさらに含み、
前記突起部材は、前記第４のストッパ面と協働して前記本体が前記台座の径方向に沿って変位することを制限する第５の合わせ面を含む、ことを特徴とする請求項９に記載のタワーファン取付ユニット。
【請求項１１】
前記本体には、環状リブが設けられ、
前記台座には、前記環状リブと協働して前記本体が前記ベースの径方向に沿って変位することを制限する取付凹溝が設けられる、ことを特徴とする請求項１に記載のタワーファン取付ユニット。
【請求項１２】
請求項１〜１１のいずれか１項に記載のタワーファン取付ユニットを含む、ことを特徴とするタワーファン。
【発明の詳細な説明】
【技術分野】
【０００１】
本発明は、タワーファンの技術分野に属し、特にタワーファン取付ユニット及びタワーファンに関する。
本願は、２０１８年９月１８日に提出され、出願番号が２０１８１１０８８８９３．４であり、発明の名称が「タワーファン取付ユニット及びタワーファン」である中国特許出願の優先権を主張するものであり、その全ての内容は参照により本願に組み込まれるものとする。
【背景技術】
【０００２】
現在、タワーファンの固定方式は一般的に２種類であり、第１種は、タワーファンの台座を上下の２部分に分割し、台座の上部分を本体に接続し、台座の下部分をねじ又はスナップフィットなどの締結手段により台座の上部分に接続固定することである。第２種は、タワーファン本体の底部を台座に直接嵌合して、ねじ又は他の個別の締結部材などを用いて固定することである。
【０００３】
上記方式では、第１種の方式で接続された台座は、安定性が低くて、取付工程が複雑であり、コストが高く、第２種の方式は、台座と本体の接続の安定性が低く、ねじ、締結部材などの部材を別途追加する必要がある一方で、ドライバーなどの専用工具を用いて取り付ける必要があり、操作が複雑であり、コストが高く、ユーザが取り付け／取り外しにくく、ユーザの体験に不便さを与える。
【発明の概要】
【発明が解決しようとする課題】
【０００４】
中国特許ＣＮ２０５６５４５８７Ｕには、締結部材によりタワーファン本体と台座を固定する構造が開示されており、該構造は、本体を含み、さらに係着アセンブリとベースを含み、係着アセンブリはチャックを含み、チャックは、チャックベース及びチャックブロックを含み、チャックブロックがチャックの側面に設けられ、２つ以上のチャックブロックが環状アレイ状に設けられ、チャックは本体の底部に水平状に取り付けられ、チャックと本体は中心線を軸線として相対回転し、ベースは、係着ブロックと、ベースの中央に開設された円形の係着孔とを含む係着ベースを含む。しかしながら、該構造は取付が複雑であり、コストが高く、ユーザ体験が低い。
【０００５】
上記従来のタワーファンの取付構造が複雑であるという問題を解決するために、本発明は、タワーファン取付ユニット及びタワーファンを提供する。
【課題を解決するための手段】
【０００６】
上記目的を達成するために、本発明のタワーファン取付構造及びタワーファンの具体的な技術的手段は以下のとおりである。
タワーファン取付ユニットは、本体と台座を含み、前記台座には、弾性ストッパ部材が設けられ、前記本体には、前記弾性ストッパ部材と協働して前記本体の回動を制限する第１のストッパ溝が設けられる。
【０００７】
好ましくは、前記本体は、取付座と、前記取付座に設けられたガイド部材とを含み、前記取付座と前記ガイド部材とは、前記弾性ストッパ部材を配置可能な収容溝を囲んで形成する。
【０００８】
好ましくは、前記弾性ストッパ部材は、固定部と、前記ガイド部材の作用下で弾性変形可能な折り曲げ部とを含み、前記折り曲げ部が前記固定部に凸設される。
【０００９】
好ましくは、前記ベースには、ストッパ取付溝が設けられ、前記固定部が前記ストッパ取付溝内に設けられる。
【００１０】
好ましくは、前記ガイド部材は、前記収容溝を囲んで形成するための第１のガイド面を含み、前記弾性ストッパ部材は、前記第１のガイド面と協働して相互に摺動する第１の合わせ面を含む。
【００１１】
好ましくは、前記ガイド部材は、前記第１のストッパ溝を囲んで形成するための第１のストッパ面を含み、前記弾性ストッパ部材は、前記第１のストッパ面と協働して前記本体の回動を制限する第２の合わせ面を含む。
【００１２】
好ましくは、前記本体には、少なくとも１つの突起部材が設けられ、前記台座には、前記突起部材と協働して前記本体が前記台座の軸方向に沿って移動することを制限する第２のストッパ溝が設けられる。
【００１３】
好ましくは、前記台座には、前記第２のストッパ溝を囲んで形成するための第２のストッパ面がさらに設けられ、前記突起部材は、前記第２のストッパ面と協働して前記本体の回動を制限する第３の合わせ面を含む。
【００１４】
好ましくは、前記台座には、前記第２のストッパ溝を囲んで形成するための第３のストッパ面を含む係合部材がさらに設けられ、前記突起部材は、前記第３のストッパ面と協働して前記本体が前記台座の軸方向に沿って移動することを制限する第４の合わせ面を含む。
【００１５】
好ましくは、前記係合部材は、第４のストッパ面をさらに含み、前記突起部材は、前記第４のストッパ面と協働して前記本体が前記台座の径方向に沿って変位することを制限する第５の合わせ面を含む。
【００１６】
好ましくは、前記本体には、環状リブが設けられ、前記台座には、前記環状リブと協働して前記本体が前記ベースの径方向に沿って変位することを制限する取付凹溝が設けられる。
【００１７】
タワーファンは、以上のいずれか１項に記載のタワーファン取付ユニットを含む。
【発明の効果】
【００１８】
本発明のタワーファン取付ユニットは、以下の１）〜４）の利点を有する。
１）弾性ストッパ部材と第１のストッパ溝により回転止めロックを行い、構造が簡単であり、コストが低く、また、取り付け操作しやすく、ユーザ体験を向上させる。
２）収容溝とガイド部材を設けることにより、取り付けをより容易かつ正確にする。
３）該弾性ストッパ部材の固定部、折り曲げ部がベースと一体成形されるため、生産コストがより低くなる。
４）突起部材と第２のストッパ溝を設けることにより、弾性ストッパ部材、第１のストッパ溝と協働して、二重回転止めロックを行い、軸方向の位置規制と協働して、本体と台座とを組み立てる時の安定性、確実性を保証すると共に、台座又は本体を回転させる方式で取り付けて台座の着脱可能な利便性を保証する。
【図面の簡単な説明】
【００１９】
【図１】本発明のタワーファン取付ユニットの概略構造図。
【図２】本発明のタワーファン取付ユニットの本体の底面図。
【図３】本発明のタワーファン取付ユニットの台座の上面図。
【図４】本発明のタワーファン取付ユニットの本体と台座の接触面の径方向の断面図。
【図５】図４に示すタワーファン取付ユニットのＡにおける部分拡大図。
【図６】本発明のタワーファン取付ユニットの軸方向の断面図。
【図７】図６に示すタワーファン取付ユニットのＢにおける部分拡大図。
【図８】本発明のタワーファン取付ユニットの台座の一部の概略構造図。
【発明を実施するための形態】
【００２０】
本発明の目的、構造及び機能をよりよく理解するために、以下、図面を参照しながら本発明のタワーファン配線構造及びそのタワーファンをさらに詳細に説明する。
【００２１】
図１〜図３を参照すると、本発明に係るタワーファン取付ユニットは、本体１と台座２とを含み、上記台座２に弾性ストッパ部材２１が設けられ、上記本体１に上記弾性ストッパ部材２１と協働して上記本体１の回動を制限する第１のストッパ溝１１が設けられ、取付時に、上記本体１又は上記台座２を適切な位置に回転させると、上記弾性ストッパ部材２１は上記第１のストッパ溝１１内に進入することにより、上記本体１と上記台座２との相対回動を制限し、取り付けやすくなり、ユーザ体験を向上させ、また、このタワーファン取付ユニットは構造が簡単で、コストが低い。
【００２２】
図２を参照すると、さらに、上記本体１は、取付座１２と、上記取付座１２に設けられたガイド部材１３とを含み、上記弾性ストッパ部材２１を配置可能な収容溝１４は、上記取付座１２と上記ガイド部材１３とで囲われて形成され、取り付け開始時に、上記弾性ストッパ部材１１を上記収容溝１４と位置合わせして、上記弾性ストッパ部材２１を上記収容溝１４内に配置し、その後に回転させ、ユーザが取付時に位置決め合わせすることに寄与する。
【００２３】
図３〜図５を参照すると、上記ガイド部材１３は、上記収容溝１４を囲んで形成するための第１のガイド面１３１を含み、上記弾性ストッパ部材２１は、上記第１のガイド面１３１と協働して相互に摺動する第１の合わせ面２１３を含み、上記第１のガイド面１３１と上記第１の合わせ面２１３とは相互に密着する斜面であり、上記本体１と上記台座２とが相対回動するときに、上記ガイド部材１３と上記弾性ストッパ部材２１とは相互に摺動し、回動時の円滑さに寄与すると共に、未取付時に上記弾性ストッパ部材２１が上記第１のストッパ溝１１に誤って進入することも防止する。
【００２４】
図４及び図５を参照すると、上記ベースにストッパ取付溝２２が設けられ、上記弾性ストッパ部材２１は、上記ストッパ取付溝２２内に設けられる固定部２１１と、上記固定部２１１に凸設され、上記ガイド部材１３の作用下で弾性変形可能な折り曲げ部２１２とを含み、上記折り曲げ部２１２は、上記第１の合わせ面２１３の作用下で上記ストッパ取付溝２２内に進入可能であり、上記第１のガイド面１３１と上記第１の合わせ面２１３とが接触しないときに、上記折り曲げ部２１２は、上記ストッパ取付溝２２から突出するように跳ね上がることにより、上記第１のストッパ溝１１と協働して上記本体１と上記台座２との相対回動を制限する。
【００２５】
上記ガイド部材は、上記第１のストッパ溝１１を囲んで形成するための第１のストッパ面１３１を含み、上記弾性ストッパ部材２１は、上記第１のストッパ面１３１と協働して上記本体の回動を制限する第２の合わせ面２１４を含み、上記第２の合わせ面２１４は上記折り曲げ部２１２の上記固定部２１１から離れる一端に位置し、上記弾性ストッパ部材２１と上記ガイド部材１３とが相対回転し、上記第１のガイド面１３１と第１の合わせ面２１３とが相互に圧着し続けて突然に離れるときに、上記弾性ストッパ部材２１は上記第１のストッパ溝１１に進入し、上記第１のストッパ面１３１は上記第２の合わせ面２１４と接触することにより、上記本体１と上記台座２の逆回転を防止し、両者間の周方向回動を制限する。
【００２６】
図６〜図８を参照すると、上記本体１には、少なくとも１つの突起部材１５が設けられ、上記台座２には、上記突起部材１５と協働して上記本体１が上記台座２の軸方向に沿って移動することを制限する第２のストッパ溝２３が設けられ、上記本体１と上記台座２を取り付けるときに、上記突起部材１５は、回転後に上記第２のストッパ溝２３に進入することにより、上記本体１と上記台座２とが軸方向に相互に固定されるようにする。
【００２７】
上記台座２には、上記第２のストッパ溝２３を囲んで形成するための第２のストッパ面２４がさらに設けられ、上記突起部材１５は、上記第２のストッパ面２４と協働して上記本体１の回動を制限する第３の合わせ面１５１を含み、上記第２のストッパ面２４が上記第３の合わせ面１５１と協働して上記本体１と上記台座２との相対回動を制限すると共に、上記弾性ストッパ部材２１が上記第１のストッパ溝１１と協働して上記本体１と上記台座２との逆方向への相対回動を制限することにより、上記本体１と上記台座２とは、それらの間の相対回動が防止され、周方向に相互に固定される。
【００２８】
上記台座２には、上記第２のストッパ溝２５１を囲んで形成するための第３のストッパ面を含む係合部材２５がさらに設けられ、上記突起部材１５は、上記第３のストッパ面２５１と協働して上記本体１が上記台座２の軸方向に沿って移動することを制限する第４の合わせ面１５２を含み、上記係合部材は、第４のストッパ面２５２をさらに含み、上記突起部材１５は、上記第４のストッパ面２５２と協働して上記本体１が上記台座２の径方向に沿って変位することを制限する第５の合わせ面１５３を含み、上記本体１の径方向と軸方向への変位が制限されることにより、上記本体１と上記台座２とは、固定接続され、両者がより確実に取り付けられる。
【００２９】
上記本体１には、環状リブ１６が設けられ、上記台座２には、上記環状リブ１６と協働して上記本体１が上記ベース２の径方向に沿って変位することを制限する取付凹溝２６が設けられ、上記環状リブ１６を上記取付凹溝２６に入れると、上記本体１と上記台座２とが径方向に相対固定されるが、相対回動可能であるため、取り付けて回動するときに、位置ずれなどが生じないようにすることにより、取り付けをより容易かつ便利にする。
【００３０】
本発明に係るタワーファン取付ユニットは、使用時に、上記収容溝１４を上記弾性ストッパ部材２１と位置合わせすると共に、上記環状リブ１６を上記取付凹溝２６と位置合わせし、その後に回転させ、上記突起部材１５が上記第２のストッパ溝２３に進入し、かつ上記第２のストッパ面２４と接触すると、上記弾性ストッパ部材２１は上記第１のストッパ溝１１に進入することにより、上記本体１と上記ベース２との回動を防止し、このときに、上記本体１と上記台座２との軸方向固定も実現され、取り外し時に、上記弾性ストッパ部材２１を上記第１のストッパ溝１１から引き抜き、逆回転させ、上記弾性ストッパ部材２１が上記収容室１４に進入すると、上記本体１と上記ベース２とが分離することができる。
【００３１】
本発明に係るタワーファン取付ユニットは、弾性ストッパ部材２１と第１のストッパ溝１１により回転止めロックを行い、構造が簡単になり、コストが低く、また、取り付け操作しやすく、ユーザ体験を向上させ、収容溝１４とガイド部材１３とを設けることにより、取り付けをより容易かつ正確にし、弾性ストッパ部材２１の固定部２１１、折り曲げ部２１２がベース２と一体成形されてよいため、生産コストがより低くなり、突起部材１５と第２のストッパ溝２３とを設けることにより、弾性ストッパ部材２１、第１のストッパ溝１１と協働して、二重回転止めロックを行い、軸方向の位置規制と協働して、本体と台座とを組み立てる時の安定性、確実性を保証すると共に、台座２又は本体１を回転させる方式で取り付けて台座の着脱可能な利便性を保証する。
【００３２】
本発明は、上記タワーファン取付ユニットを含むタワーファンをさらに開示し、取り付けをより便利にすると共に、コストをより低くする。
【００３３】
理解できるように、本発明は、いくつかの実施例を参照しながら説明されたが、本発明の精神及び範囲から逸脱することなく、これらの特徴及び実施例に様々な変更又は等価置換を行うことができることは、当業者によく知られている。また、本発明の教示に基づいて、具体的な場合及び材料に適応するように、本発明の精神及び範囲から逸脱することなく、これらの特徴及び実施例に修正を行うことができる。したがって、本発明は、ここで開示された具体的な実施例に限定されず、本願の特許請求の範囲内に含まれるすべての実施例は、いずれも本発明の保護範囲に属する。
【符号の説明】
【００３４】
１−本体  １１−第１のストッパ溝  １２−取付座  １３−ガイド部材  １３１−第１のガイド面  １３２−第１のストッパ面  １４−収容溝  １５−突起部材  １５１−第３の合わせ面  １５２−第４の合わせ面  １５３−第５の合わせ面  １６−環状リブ  ２−台座  ２１−弾性ストッパ部材  ２１１−固定部  ２１２−折り曲げ部  ２１３−第１の合わせ面  ２１４−第２の合わせ面  ２２−ストッパ取付溝  ２３−第２のストッパ溝  ２４−第２のストッパ面  ２５−係合部材  ２５１−第３のストッパ面  ２５２−第４のストッパ面  ２６−取付凹溝
【図１】
2021523997.tif 000003
【図２】
2021523997.tif 000004
【図３】
2021523997.tif 000005
【図４】
2021523997.tif 000006
【図５】
2021523997.tif 000007
【図６】
2021523997.tif 000008
【図７】
2021523997.tif 000009
【図８】
2021523997.tif 000010
【国際調査報告】
2021523997.tif 000011
2021523997.tif 000012
2021523997.tif 000013
2021523997.tif 000014
2021523997.tif 000015
2021523997.tif 000016